(57)【特許請求の範囲】
【請求項１】
冷暖房対象空間に設置される熱媒通流式の複数のパネルに対して、熱媒供給用の中継供給路および熱媒還元用の中継還元路を備えた中継ヘッダを経由して、熱源からの熱媒が循環供給されるように構成されている熱媒供給装置であって、
前記中継ヘッダに、前記中継供給路として、前記熱源からの熱媒を前記中継ヘッダに供給する熱媒供給用往路を接続する往路用接続部を各別に備える複数の中継供給路が互いに独立して熱媒を通流する状態に形成され、
前記熱媒供給用往路が、前記各中継供給路それぞれに熱媒を供給するように形成され、
前記熱媒供給用往路を通した前記各中継供給路への熱媒の供給状態を前記各中継供給路ごとに各別に調整自在な複数の制御弁が、その熱媒供給用往路中に設けられ、
前記中継還元路が、前記複数のパネルのそれぞれから各別に還元される熱媒を合流させて排出するように通流する合流通流路として形成されている熱媒供給装置。
【請求項２】
前記熱媒供給用往路が、前記熱源から前記中継ヘッダの近くまで配管される単一路と、その単一路から前記各中継供給路に分岐する分岐路とから構成され、
前記分岐路のそれぞれに、前記制御弁が配設されている請求項１に記載の熱媒供給装置。
【請求項３】
前記制御弁が、前記中継用ヘッダに組み付けられている請求項２に記載の熱媒供給装置。
【請求項４】
前記熱媒供給用往路として、前記熱源と前記複数の中継供給路を各別に接続する複数本の熱媒供給用往路が設けられ、
前記複数の制御弁が、前記複数の熱媒供給用往路の熱源側端部に配設されている請求項１に記載の熱媒供給装置。
【請求項５】
前記中継ヘッダが、偏平な筒状に形成されて、その端面部に、前記熱媒供給用往路が接続される往路用接続部および前記中継ヘッダからの熱媒を前記熱源に還元する熱媒還元用復路が接続される復路用接続部が設けられ、かつ、その側周面部に、前記複数の中継供給路における前記各パネルに接続される複数の供給用接続部と、前記複数のパネルのそれぞれから熱媒が還元される複数の流入用接続部とが、ひとつの前記供給用接続部とひとつの前記流入用接続部とを周方向に並ぶ組として、その組を周方向に沿って並べる状態で設けられている請求項１〜４のいずれか１項に記載の熱媒供給装置。
【発明の詳細な説明】
【０００１】
【発明の属する技術分野】
本発明は、冷暖房対象空間に設置される熱媒通流式の複数のパネルに対して、熱媒供給用の中継供給路および熱媒還元用の中継還元路を備えた中継ヘッダを経由して、熱源からの熱媒が循環供給されるように構成されている熱媒供給装置に関する。
【０００２】
【従来の技術】
上記のような熱媒供給装置では、熱媒通流式のパネルとして、天井面に敷設して熱媒体流通管に冷水を流通させるものや、床面に敷設して熱媒体流通管に温水を流通させる床暖房パネルがある。中継ヘッダとしては、例えば、実公昭５５−１７０５７号公報に開示されているように、中継供給路が熱源からの熱媒を複数のパネルに分岐して供給するように通流する状態に形成され、中継還元路が複数のパネルから同時に還元される熱媒を合流させて排出するように通流する状態に形成されているものがある。そして、この中継ヘッダに単一の熱媒供給用往路および単一の熱媒還元用復路を接続して各パネルに熱媒を同時に供給可能とし、中継ヘッダを用いることによって施工作業を容易にしながら、熱媒供給用往路および熱媒還元用復路の本数を減少させて配管スペースを減少させることができるものが知られている。
ちなみに、上述したような熱媒供給装置においては、熱媒供給用往路の熱源側端部または熱源に設けられた制御弁の開閉状態を制御することによって、複数のパネルへの熱媒の供給状態を断続するようにしている。
【０００３】
また、図９に示すように、熱源２１からの熱媒を複数のパネル２２に供給する熱媒供給用往路２３が複数のパネル２２と同じ数だけ設けられるとともに、複数のパネル２２からの熱媒を熱源２１に還元する熱媒還元用復路２４も複数のパネル２２と同じ数だけ設けられ、各熱媒供給用往路２３ごとに熱媒の供給状態を各別に調整自在な複数の制御弁２５が、熱媒供給用往路２３の熱源２１側端部に設けられ、この複数の制御弁２５の開閉状態を制御することによって、冷暖房対象空間における状況に合わせて各パネル２２ごとに熱媒の供給状態を調整可能にするものが知られている。
【０００４】
さらに、図１０に示すように、熱源２１からの熱媒を複数のパネル２２に供給する熱媒供給用往路２３が複数のパネル２２と同じ数だけ設けられ、複数のパネル２２からの熱媒を熱源２１に還元する熱媒還元用復路が、各パネル２２に接続される分岐還元路２６とこの分岐還元路２６を通流する熱媒を各パネル２２の近くから単一に合流させる単一還元路２７とから構成され、各熱媒供給用往路２３ごとに熱媒の供給状態を各別に調整自在な複数の制御弁２５が、熱媒供給用往路２３の熱源２１側端部に設けられ、この複数の制御弁２５の開閉状態を制御することによって、冷暖房対象空間における状況に合わせて各パネル２２ごとに熱媒の供給状態を調整可能にしながら、熱媒還元用復路を各パネル２２の近くから単一還元路２７とすることにより配管スペースを減少させることができるものも知られている。
【０００５】
【発明が解決しようとする課題】
上述のような熱媒供給装置においては、冷暖房対象空間における状況に合わせて各パネルごとに熱媒の供給状態を調整可能にしながら、熱源と各パネルとを接続する管路などの配管スペースの減少を図ることができ、かつ、施工作業を容易にするものが好ましいものとなっている。
つまり、上述のような熱媒供給装置では、各パネルごとに熱媒の供給状態を調整可能とすること、配管スペースの減少、および、施工作業を容易にすることの３つの要素が望まれている。
【０００６】
しかしながら、従来の熱源供給装置では、各パネルごとに熱媒の供給状態を調整可能とすること、配管スペースの減少、および、施工作業を容易にすることの３つの要素をすべて実現することができるものがなく、３つの要素のうち少なくともひとつが欠けているものであった。
つまり、実公昭５５−１７０５７号公報に記載の構成を用いた熱媒供給装置は、各パネルごとに熱媒の供給状態を調整することができないものであった。そして、図９に示す熱媒供給装置は、熱源と各パネルとの間の管路数がパネル数の２倍となり、配管スペースが増大するだけでなく、熱媒供給用往路および熱媒還元用復路のそれぞれを各パネルごとに接続する必要があり、施工作業が煩雑になる虞があった。また、図１０に示す熱媒供給装置は、熱媒供給用往路および熱媒還元用復路における分岐還元路のそれぞれを各パネルごとに接続する必要があり、施工作業が煩雑になる虞があった。
【０００７】
そして、図１１に示すように、供給用ヘッダ２８と還元用ヘッダ２９を設けて、熱源２１と供給用ヘッダ２８とを単一の熱媒供給用往路２３にて接続して、還元用ヘッダ２９と熱源２１とを単一の熱媒還元用復路２４にて接続することによって、施工作業を容易にしながら、配管スペースを減少させ、供給用ヘッダ２８と各パネル２２とを熱媒供給用分岐路３０にて各別に接続し、各パネル２２と還元用ヘッダ２９とを熱媒還元用分岐路３１にて各別に接続し、熱媒供給用分岐路３０または供給用ヘッダ２８に、熱媒供給用分岐路３０を通した各パネル２２への熱媒の供給状態を各熱媒供給用分岐路３０ごとに各別に調整自在な複数の制御弁２５を設けることによって、冷暖房対象空間における状況に合わせて各パネル２２ごとに熱媒の供給状態を調整可能にすることができるものが考えられるが、この熱媒供給装置においても、熱源２１と各パネル２２との間の配管中に供給用ヘッダ２８と還元用ヘッダ２９を設けたり、熱媒供給用分岐路３０および熱媒還元用分岐路３１のそれぞれを各パネル２２ごとに接続するなど、施工作業が複雑になり煩雑になる虞があり、未だ改善の余地があった。
【０００８】
本発明は、かかる点に着目してなされたものであり、その目的は、冷暖房対象空間における状況に合わせて各パネルごとに熱媒の供給状態を調整可能にしながら、熱源と複数のパネルのそれぞれとを接続する管路の配管スペースの減少を図ることができ、かつ、施工作業を容易にすることができる熱媒供給装置を提供する点にある。
【０００９】
【課題を解決するための手段】
この目的を達成するために、請求項１に記載の発明によれば、冷暖房対象空間に設置される熱媒通流式の複数のパネルに対して、熱媒供給用の中継供給路および熱媒還元用の中継還元路を備えた中継ヘッダを経由して、熱源からの熱媒が循環供給されるように構成されている熱媒供給装置において、
前記中継ヘッダに、前記中継供給路として、熱源からの熱媒を中継ヘッダに供給する熱媒供給用往路を接続する往路用接続部を各別に備える複数の中継供給路が互いに独立して熱媒を通流する状態に形成され、
前記熱媒供給用往路が、各中継供給路それぞれに熱媒を供給するように形成され、
熱媒供給用往路を通した各中継供給路への熱媒の供給状態を各中継供給路ごとに各別に調整自在な複数の制御弁が、その熱媒供給用往路中に設けられ、
前記中継還元路が、複数のパネルのそれぞれから各別に還元される熱媒を合流させて排出するように通流する合流通流路として形成されている。
【００１０】
つまり、中継還元路を備えかつ熱源からの熱媒を中継ヘッダに供給する熱媒供給用往路を接続する往路用接続部を各別に備える複数の中継供給路が互いに独立して熱媒を通流する状態に形成された中継ヘッダを用いることによって、熱媒供給用往路および熱媒還元用復路を、各パネルごとに接続するのではなく、中継ヘッダに接続するだけで各パネルに熱媒を供給可能にすることができるので、施工作業が容易になる。そして、熱媒供給用往路中に各中継供給路ごとに各別に調整自在な複数の制御弁を設けることによって、各パネルごとに熱媒の供給状態を調整可能にすることができる。
したがって、中継ヘッダを用いて、中継ヘッダにおける各中継供給路ごとに各別に調整自在な複数の制御弁を設けることによって、冷暖房対象空間における状況に合わせて各パネルごとに熱媒の供給状態を調整可能にしながら施工作業を容易にすることができる。
【００１１】
また、中継ヘッダにおける各中継供給路ごとに各別に調整自在な複数の制御弁を熱媒供給用往路中に設けることによって、中継ヘッダと各パネルとの間に設けるものと比べて、各制御弁と熱源との制御のために接続する電線の配線を、熱媒供給用往路および熱媒還元用復路を挿通させるためのＣＤ管に挿通させることができ、その電線の配線処理を容易に行うことができる。
また、複数のパネルのそれぞれから各別に還元される熱媒を合流させて排出することができるので、中継ヘッダにおける熱媒還元用の復路用接続部をひとつ設けて、その復路用接続部に単一の熱媒還元用復路を接続するだけでよく、熱媒還元側の施工作業も容易になり、施工作業がより一層容易になる。
【００１２】
請求項２に記載の発明によれば、熱媒供給用往路が、熱源から中継ヘッダの近くまで配管される単一路と、その単一路から各中継供給路に分岐する分岐路とから構成され、分岐路のそれぞれに、制御弁が配設されている。
したがって、熱媒供給用往路を中継ヘッダの近くまで単一路とすることができるので、配管スペースの一層の減少を図ることができる。
【００１３】
請求項３に記載の発明によれば、制御弁が、中継用ヘッダに組み付けられている。
したがって、制御弁が中継ヘッダに組み付けられているので、中継ヘッダを取付けるだけでよく、あらたに制御弁を取付ける必要がなくなり、施工作業が一層容易になる。
【００１４】
請求項４に記載の発明によれば、熱媒供給用往路として、熱源と複数の中継供給路を各別に接続する複数本の熱媒供給用往路が設けられ、複数の制御弁が、複数の熱媒供給用往路の熱源側端部に配設されている。
つまり、複数の制御弁を複数の熱媒供給用往路の熱源側端部に配設することによって、複数の制御弁と熱源との設置位置を近くすることができ、各制御弁と熱源との制御のために接続する電線の配線を極めて容易に処理することができる。
【００１６】
請求項５に記載の発明によれば、中継ヘッダが、偏平な筒状に形成されて、その端面部に、熱媒供給用往路が接続される往路用接続部および中継ヘッダからの熱媒を熱源に還元する熱媒還元用復路が接続される復路用接続部が設けられ、かつ、その側周面部に、複数の中継供給路におけるパネルに接続される複数の供給用接続部と、複数のパネルのそれぞれから熱媒が還元される複数の流入用接続部とが、ひとつの供給用接続部とひとつの流入用接続部とを周方向に並ぶ組として、その組を周方向に沿って並べる状態で設けられている。
つまり、供給用接続部と流入用接続部とが中継ヘッダの周方向において隣合うように設けられているので、各パネルにて放熱または吸熱される前の熱媒と各パネルにて放熱または吸熱された後の熱媒とを中継ヘッダの周方向において交互に通流させることができる。
したがって、床暖房パネルを例にすると、中継ヘッダの周方向において高温熱媒と低温熱媒を交互に通流させることができるので、床暖房パネルにおける温度分布を極力均一にすることができる。
【００１７】
【発明の実施の形態】
本発明にかかる熱媒供給装置を床暖房装置として適応した例を図面に基づいて説明する。
〔第１実施形態〕
この床暖房装置は、図１および４に示すように、冷暖房対象空間としての床面に設置される熱媒通流式の複数のパネルとしての床暖房パネルＰ、この床暖房パネルＰに対して熱媒供給用の複数の中継供給路１および熱媒還元用の中継還元路２を備えた中継ヘッダ３、この中継ヘッダ３を経由して各床暖房パネルＰに熱媒を循環供給する熱源としての冷温水ボイラー４などから構成されている。
そして、この実施形態では、床暖房パネルＰの角部を切り欠いて、その切欠部５が合わせた４枚の床暖房パネルＰの中心部に位置するように敷設して、その中心部に中継ヘッダ３を配設させて、中継ヘッダ３を経由して４枚の床暖房パネルＰのそれぞれに熱媒を循環供給するように構成されている。
【００１８】
冷温水ボイラー４からの熱媒としての温水を中継ヘッダ３に供給する熱媒供給用往路として、冷温水ボイラー４と複数の中継供給路１を各別に接続する２本の熱媒供給用往路６が設けられ、中継ヘッダ３からの温水を冷温水ボイラー４に還元する熱媒還元用復路として、単一の熱媒還元用復路７が設けられ、熱媒供給用往路６を通した各中継供給路１への温水の供給状態を各中継供給路１ごとに各別に調整自在な２つの制御弁８が、２本の熱媒供給用往路６の冷温水ボイラー４側端部に配設されている。なお、熱媒としては、薬剤を使用したものなどその他の熱媒を利用することも可能である。
そして、２本の熱媒供給用往路６と１本の熱媒還元用復路７は束ねられて、ＣＤ管９に挿通するようにしている。
【００１９】
前記床暖房パネルＰは、図２および３に示すように、ほぼ矩形に形成されており、ポリエチレンやポリエスチレンなどの硬質の発泡樹脂製、または、合板、繊維板およびパーティクルボードなどの木質製の板状基材１０に熱媒体流通管１２埋入用の凹入溝１１が設けられ、この凹入溝１１に架橋ポリエチレン管やポリブテン樹脂管などからなる熱媒体流通管１２を埋入して配管して、その上面から均熱用のアルミ箔１３を貼着して構成されている。
前記凹入溝１１は、熱媒体流通管１２が床暖房パネルＰの長さ方向視において蛇行状になるように、かつ、熱媒体流通管１２の両端が床暖房パネルＰの切欠部５になるように形成され、熱媒体流通管１２を通して床暖房パネルＰの全域に温水が供給されるようにしている。
【００２０】
前記中継ヘッダ３は、図４に示すように、中継供給路として、温水を供給すべき複数の床暖房パネルＰと同じ数の中継供給路１が互いに独立して温水を通流する状態に形成され、中継還元路２が複数の床暖房パネルＰのそれぞれから各別に還元される熱媒を合流させて排出するように合流通流路として形成されている。また、この中継ヘッダ３は、偏平な筒状に形成されて、その端面部に、熱媒供給用往路６が接続される往路用接続部１４と熱媒還元用復路７が接続される復路用接続部１５が設けられ、かつ、その側周面部に、複数の中継供給路１における各床暖房パネルＰに接続される複数の供給用接続部１６と、複数の床暖房パネルＰのそれぞれから熱媒が還元される複数の流入用接続部１７とが設けられている。
【００２１】
具体的に説明すると、中継ヘッダ３は、上面視においてほぼ正方形に形成され、その下面側には、２つの往路用接続部１４とひとつの復路用接続部１５が、２つの往路用接続部１４の間に復路用接続部１５が位置してほぼ一直線上になるように、正方形の中継ヘッダ３の中央部分、すなわち図４の（イ）における中継ヘッダ３の左右方向の中央部分に設けられている。
また、中継ヘッダ３の側周面側の一面には、２つの供給用接続部１６または２つの流入用接続部１７が周方向に並ぶ状態で設けられ、対面する面どうしが供給用接続部１６または流入用接続部１７になるように、かつ、２つの往路用接続部１４とひとつの復路用接続部１５が並ぶ方向の両端面に、すなわち図４の（イ）における上下方向の両面に供給用接続部１６が位置するように設けられている。
なお、中継ヘッダ３の形状は、上面視において長方形などの多角形、円形、または、扇形など各形状に変更が可能である。
【００２２】
そして、中継供給路１がひとつの往路用接続部１４と２つの供給用接続部１６とを連通するように２つ設けられ、この２つの中継供給路１が互いに独立して温水を通流する状態に形成されている。また、中継還元路２が復路用接続部１５と４つの流入用接続部１７とを連通するように設けられ、４枚の床暖房パネルＰのそれぞれから各別に還元される温水を合流させて排出するように形成されている。
つまり、中継ヘッダ３には、それぞれが隔離されている各別の３つの空間が備えられ、その２つの空間にひとつの往路用接続部１４と２つの供給用接続部１６とが接続されて、中継供給路１として形成され、残りのひとつの空間に復路用接続部１５と４つの流入用接続部１７とが接続されて、中継還元路２として形成されている。
【００２３】
このようにして、冷温水ボイラー４からの温水は、熱媒供給用往路６を通して往路用接続部１４から中継ヘッダ３に供給され、中継ヘッダ３における中継供給路１を介して供給用接続部１６から各床暖房パネルＰに供給されて、床暖房パネルＰにおける熱媒体流通管１２を温水が通流することにより冷暖房対象空間である床面が暖房されることになる。
そして、床暖房パネルＰにおける熱媒体流通管１２を通流した温水は、流入用接続部１７から中継ヘッダ３に還元され、中継ヘッダ３における中継還元路２を介して復路用接続部１５から熱媒還元用復路７を通して冷温水ボイラー４に還元されるようにしている。
【００２４】
また、２本の熱媒供給用往路６の冷温水ボイラー４側端部に配設されている制御弁８の開閉状態を制御することによって、各床暖房パネルＰへの温水の供給状態を各別に調整可能に構成されている。
そして、この実施形態では、４枚の床暖房パネルＰが床面に敷設されているが、２枚の床暖房パネルをひとつの組として、そのひとつの組ごとに温水の供給状態を各別に調整可能としている。
つまり、図１に示すように、４枚の床暖房パネルＰＡ，ＰＢ，ＰＣ，ＰＤのうち床暖房パネルＰＡ，ＰＢと床暖房パネルＰＣ，ＰＤをそれぞれひとつの組として、制御弁８の開閉状態を制御することによって、床暖房パネルＰＡ，ＰＢに対応する熱媒供給用往路６および床暖房パネルＰＣ，ＰＤに対応する熱媒供給用往路６のいずれか一方または両方に温水を通流させるようにしている。
【００２５】
このようにして、中継供給路１および中継還元路２を備えかつ温水を供給すべき床暖房パネルＰと同じ数の中継供給路１が互いに独立して熱媒を通流する状態に形成された中継ヘッダ３を用いることによって、熱媒供給用往路６および熱媒還元用復路７を、各床暖房パネルＰごとに接続するのではなく、中継ヘッダ３に接続するだけで各床暖房パネルＰに温水を供給可能にすることができるので、施工作業が容易になるとともに、熱媒還元用復路７を単一に形成することによって、管路数を減少させることができ、さらに、複数の制御弁８を複数の熱媒供給用往路６の冷温水ボイラー４側端部に配設することによって、各床暖房パネルＰごとに温水の供給状態を調整可能にしながら、各制御弁８と冷温水ボイラー４との制御のために接続する電線の配線を極めて容易に処理することができる。
したがって、中継ヘッダ３を用いて、中継ヘッダ３における各中継供給路１ごとに各別に調整自在な複数の制御弁８を設けて、熱媒還元用復路７を単一に形成することによって、冷暖房対象空間における状況に合わせて各床暖房パネルＰごとに温水の供給状態を調整可能にしながら、冷温水ボイラー４と各床暖房パネルＰとを接続する管路の配管スペースの減少を図ることができ、かつ、施工作業を容易にすることができる。
【００２６】
〔第２実施形態〕
この第２実施形態は、上述の第１実施形態における熱媒供給用往路６およびそれに伴う複数の制御弁８の設置位置の別実施形態であり、その他の構成については、上述の第１実施形態と同様であるので、その詳細な説明は省略する。
【００２７】
冷温水ボイラー４からの温水を中継ヘッダ３に供給する熱媒供給用往路６が、図５に示すように、冷温水ボイラー４から中継ヘッダ３の近くまで配管される単一路１８と、その単一路１８から中継ヘッダ３における各中継供給路１に分岐する分岐路１９とから構成され、分岐路１９のそれぞれに制御弁８が配設されている。
つまり、熱媒供給用往路６が、単一路１８とその単一路１８から２つに分岐する分岐路１９とから構成され、２つの分岐路１９のそれぞれが中継ヘッダ３の往路用接続部１４に接続され、２つの分岐路１９のそれぞれに制御弁８が設けられている。なお、制御弁８と冷温水ボイラー４との制御のために接続する電線の配線を、ＣＤ管９に挿通させるようにしている。
このようにして、熱媒供給用往路６を中継ヘッダ３の近くまで単一路１８とすることができるので、第１実施形態における作用効果を得ながら、配管スペースの一層の減少を図ることができる。
【００２８】
〔第３実施形態〕
この第３実施形態では、上述の第１および２実施形態における中継ヘッダの別実施形態を示すものであり、その他の構成については、上述の第１実施形態と同様であるので、その詳細な説明は省略する。
【００２９】
中継ヘッダは、図６に示すように、上面視においてほぼ正方形に形成され、その下面側には、２つの往路用接続部１４とひとつの復路用接続部１５が、２つの往路用接続部１４の間に復路用接続部１５が位置してほぼ一直線状になるように設けられている。
また、中継ヘッダ３の側周面側には、ひとつの供給用接続部１６とひとつの流入用接続部１７とを周方向に並ぶ組として、その組を周方向に沿って並べる状態で設けられている。つまり、中継ヘッダ３の側周面側のそれぞれの面には、ひとつの供給用接続部１６とひとつの流入用接続部１７がその並び組として設けられ、供給用接続部１６と流入用接続部１７が周方向に交互になるようにしている。
【００３０】
そして、中継ヘッダ３には、中継供給路１として、２つの供給用接続部１６とひとつの往路用接続部１４とを連通するように断面形状がＴ字状の管路が２つ備えられ、残りの空間に復路用接続部１５と４つの流入用接続部１７とが接続されて、この空間が中継還元路２として形成されている。
【００３１】
このようにして、上述の中継ヘッダ３を用いて、図７に示すように、４枚の床暖房パネルのそれぞれに温水を供給すると、４枚の床暖房パネルＰ放熱される前の高温水と各床暖房パネルＰにて放熱された後の低温水とを中継ヘッダの周方向において交互に通流させることができ、床暖房パネルＰにおける温度分布を極力均一にすることができる。
【００３２】
〔別実施形態〕
（１）上記第１および２実施形態では、複数の制御弁８を中継ヘッダ３とは別に設けるようにしているが、例えば、複数の制御弁８を中継ヘッダ３に備えられている供給用接続部１６のそれぞれに設けるようにして、中継ヘッダ３に組み付けるようにしてもよい。
【００３３】
（２）上記第１および２実施形態では、中継還元路１が複数の床暖房パネルＰのそれぞれから各別に還元される温水を合流させて排出するように構成されているが、中継還元路として、複数の床暖房パネルＰと同じ数の中継還元路２が互いに独立して温水を通流する状態に構成してもよい。
つまり、中継ヘッダ３の下面側に、２つの往路用接続部１４と２つの復路用接続部１５が設けられ、中継還元路２が、２つの流入用接続部１７とひとつの復路用接続部１５が連通する管路として２つ形成され、この２つの管路が互いに独立して温水を通流する状態に形成されている。
【００３４】
そして、上述のように、中継ヘッダ３における中継還元路２が２つ設けられた場合には、図８に示すように、２つの復路用接続部１５のそれぞれに分岐還元路７ａ，７ｂが接続され、これら分岐還元路７ａ，７ｂを各別に通流する温水を単一の熱媒還元用復路７に合流して冷温水ボイラー４に還元するようにしている。
【００３５】
（３）上記第１〜３実施形態では、往路用接続部１４を供給用接続部１６よりも少ない２つ設けて、中継供給路１をひとつの往路用接続部１４と２つの供給用接続部１６とを連通するように形成して、４枚の床暖房パネルＰのうち２枚をひとつの組として、この組ごとに温水の供給状態を各別に調整可能に構成されているが、往路用接続部１４を供給用接続部１６と同じ数の４つ設けて、中継供給路１を各往路用接続部１４と各供給用接続部１６を各別に連通するように形成して、床暖房パネルＰの１枚ごとに温水の供給状態を各別に調整可能に構成してもよい。
また、床暖房パネルＰの枚数は、２枚、３枚、または、５枚以上でもよく、その枚数は適宜変更が可能であり、この場合にも、温水の供給状態を各別に調整可能とする枚数も、複数の床暖房パネルＰのうち数枚を組として組ごとに、あるいは、複数の床暖房パネルＰのうち１枚ごとに温水の供給状態を各別に調整可能としてもよい。
【００３６】
（４）上記第１〜３実施形態では、本願発明にかかる熱媒供給装置を床暖房装置に適応して例を示しているが、例えば、天井面に複数のパネルを敷設して冷水を通流させて室内を冷房する熱媒供給装置に適応することができ、各種の熱媒供給装置に適応可能である。
【図面の簡単な説明】
【図１】第１実施形態における熱媒供給装置の全体概略構成図
【図２】パネルの斜視図
【図３】パネルの断面図
【図４】中継ヘッダの構成図
【図５】第２実施形態における熱媒供給装置の全体概略構成図
【図６】第３実施形態における中継ヘッダの構成図
【図７】第３実施形態における中継ヘッダおよび複数のパネルを示す図
【図８】別実施形態における熱媒供給装置の全体概略構成図
【図９】従来例における熱媒供給装置の全体概略構成図
【図１０】従来例における熱媒供給装置の全体概略構成図
【図１１】従来例における熱媒供給装置の全体概略構成図
【符号の説明】
１              中継供給路
２              中継還元路
３              中継ヘッダ
４              熱源
６              熱媒供給用往路
７              熱媒還元用復路
８              制御弁
１４            往路用接続部
１５            復路用接続部
１６            供給用接続部
１７            流入用接続部
１８            単一路
１９            分岐路
Ｐ              パネル
【図１】
0003784196.tif 000002
【図２】
0003784196.tif 000003
【図３】
0003784196.tif 000004
【図４】
0003784196.tif 000005
【図５】
0003784196.tif 000006
【図６】
0003784196.tif 000007
【図７】
0003784196.tif 000008
【図８】
0003784196.tif 000009
【図９】
0003784196.tif 000010
【図１０】
0003784196.tif 000011
【図１１】
0003784196.tif 000012